(57)【要約】【課題】解錠操作の煩雑さや作業負担を軽減して前枠組立体を楽に開放し得る遊技機の施錠装置を提供する。【解決手段】施錠装置５０は、前枠２０に固定された基枠体５１の上下に傾動自在に枢結されたフック部材５５と、上下のフック部材を連結して昇降動自在な昇降作動杆５３とを有し、昇降作動杆５３がバネ５７で付勢されて常にはフック部材５５が受け具６５と係合する施錠保持位置に付勢保持されている。基枠体５１には昇降作動杆５３に向けて付勢され傾動自在な規制部材７１が設けられ、規制部材７１に昇降作動杆５３の昇降作動杆側係合部と係合する規制部材側係合部が形成されている。解錠操作が成されると昇降作動杆５３が上動されこれに伴って規制部材７１が傾動される。そして、昇降作動杆５３の上動に伴ってフック部材５５が受け具６５との係合解離位置を越えてさらに傾動されると、昇降作動杆側係合部と規制部材側係合部との係合が解除されて規制部材７１が復帰傾動し、フック部材５５を解錠保持状態で係止する。【選択図】図４
2010279823.tif 000002
【特許請求の範囲】
【請求項１】
固定保持用の外枠と、必要な遊技構成部材を装備した開閉搭載用の前枠とが、互いの一側縁に配設されたヒンジ部を介して開閉可能に連結支持されるとともに、互いの他側縁に配設された解錠操作形態の施錠装置を介して閉鎖保持されるようにした遊技機において、
前記施錠装置では、
前記前枠の前記他側縁に固定された基枠体に対して昇降自在に支持され、常には施錠方向へ作用する施錠付勢力により前記施錠方向に付勢保持される昇降作動杆と、
前記基枠体に上下方向に傾動自在に支持されるとともに前記昇降作動杆と連結され、前記昇降作動杆の昇降移動に伴って傾動されて前記外枠の前記他側縁に配設された受け具に対して係脱可能なフック部材と、
前記基枠体の所定部位または近傍所定部位に傾動自在に支持され、常には前記昇降作動杆に向かう方向へ作用する規制付勢力により前記昇降作動杆に向かう方向に付勢保持される規制部材と、
前記昇降作動杆の所定部位に設けられ、前記昇降作動杆の昇降移動に伴って前記規制部材に設けられた規制部材側係合部と係合可能な昇降作動杆側係合部とを備え、
解錠操作に基づく前記昇降作動杆の解錠方向への変位に伴い、前記フック部材が前記受け具との係合が外れる解離位置を越えてさらに傾動された位置において、前記規制部材が前記規制付勢力により前記昇降作動杆の方向に傾動されて前記規制部材側係合部と前記昇降作動杆側係合部が係合することにより前記昇降作動杆の前記施錠方向への移動および前記フック部材の前記受け具の方向への傾動が規制されるとともに、前記規制部材を前記規制付勢力に抗して前記昇降作動杆から離れる方向に傾動操作すると前記規制部材側係合部と前記昇降作動杆側係合部との係合が解除され、前記昇降作動杆が前記施錠付勢力により前記施錠方向に移動されて前記フック部材が前記受け具と係合可能な位置に傾動されることを特徴とする遊技機の施錠装置。
【発明の詳細な説明】
【技術分野】
【０００１】
本発明は、遊技機の施錠装置に係り、更に詳しくは固定保持用の外枠と、必要な遊技構成部材を装備した開閉搭載用の前枠とが、ヒンジ部（開閉連結支持手段）を介して開閉可能に連結支持された遊技機にあって、外枠に対する前枠の施錠及び解錠をなし得る施錠装置に関するものである。
【背景技術】
【０００２】
この種の遊技機の代表例として、パチンコ球を使用する遊技機（以下パチンコ機ともいう）やスロット遊技機などがある。これ等の遊技機では、機枠または機体として所定の外郭方形サイズに構成された固定保持枠用の外枠と、この外枠の前側開口面域に合わせた方形枠サイズに構成された開閉搭載枠用の前枠とが、互いの一側縁に配設されたヒンジ部を介して開閉可能に連結支持されるとともに、互いの他側縁に配設された解錠操作形態の施錠装置を利用して、開閉及び閉鎖保持されるようになっている。
【０００３】
そして、この前枠に必要な構成部材として、例えばパチンコ機においては、遊技盤を収容保持する収容枠、遊技盤の前面を覆うガラス窓（ガラス扉）、上下の玉皿、打球発射装置及び関連部材、各種の電気部品、玉貯留・排出部等を有する裏機構盤、各種の制御・中継基板等が、それぞれの設定基準位置に装備されており、所要のゲージ設定（各種遊技部品と多数本の遊技釘との配置設定）に基づく遊技領域を構成した遊技展開部材としての遊技盤が、遊技面を前面として前記収容枠内に水平姿勢の縦向きで着脱可能にセット保持されている。以下、これ等の構成部材が取り付けられた前枠を「前枠組立体」という。
【０００４】
このように、遊技盤の背面側には裏機構盤や打球発射装置、各種の制御基板等が多数配設されており、遊技中や終了後に各部の点検や調整を行うことができるようにする必要がある。一方、裏機構盤や制御基板等は出玉を直接管理する領域であることから、遊技者がみだりに触れたり不正操作を行ったりできないようにする必要がある。このため、このような遊技機においては、遊技施設の枠部材に固定保持される固定保持枠ともなる外枠に対して前枠組立体を一側縁上下部でヒンジ部を利用して開閉及び着脱自在に取り付けるとともに、他側縁に設けた施錠装置で遊技時に前枠組立体を外枠に閉鎖保持し、必要時に前枠前面側から鍵により解錠して開放可能に構成されている。従って、遊技施設の管理者が当該錠に適合した鍵を用いて解錠し、前枠を手前に引き出すことによって前枠組立体を開放し遊技盤の背面に配設された裏機構盤や制御基板等の点検や調整等を行うことができるようになっている（例えば、特許文献１を参照）。
【先行技術文献】
【特許文献】
【０００５】
【特許文献１】特開２０００‐９６８９３号公報
【発明の概要】
【発明が解決しようとする課題】
【０００６】
ところで、このような遊技機に用いられる施錠装置は、前枠組立体を常時閉鎖状態で外枠に保持させることを前提とするため、前枠に取り付けられて解錠操作により外枠側の受け具と解離するフック部材は、解錠操作時を除いて常には受け具との施錠係合状態を維持する方向に付勢される、いわゆる解錠操作形態の施錠装置が用いられている。このため、鍵を用いて解錠し前枠組立体を開放しようとするときには、上記付勢力に抗して鍵を捻り操作し、フック部材と受け具との係合を解離させるとともに、その解離状態を維持したまま（すなわち付勢力に抗して鍵を捻り操作したまま）前枠組立体を引き出す必要があり、操作が煩わしいという課題があった。
【０００７】
また、パチンコ機のように多数のパチンコ球を遊技機内に保持する縦型遊技機では、前枠側全体の装備重量がかなりの重量となる。このため、従来のパチンコ機に実施されている一般的な枠支持手段では、外枠と前枠の互いの下部整合部位、すなわち外枠の前側開口面域下端に位置する耐久強度の高い支持台板（幕板ともいう）の上端面と、前枠自体の下端面とに、所定厚みの座金具が配設され、この両座金具の上下整合当接状態で、前枠の水平保持を図っている。しかし、このことは、施錠装置を解錠して前枠組立体を引き出す過程において、前枠と外枠の両座金具の当接が外れたときに、前枠を含む遊技機の重量がヒンジ部にモーメントとして作用することを意味し、このときにヒンジ部に生じる撓み変位が、捻り操作を維持したまま引き出し作業を行う管理者の手首に大きな負荷を与えるおそれがある、という課題があった。
【０００８】
本発明は、前記従来の課題を解決するために新規に提案されたものであって、外枠に対して施錠閉鎖状態に保持されている前枠に対する鍵解錠操作において、自動的に解錠操作状態に保持して、とかく重量物体とされる前枠組立体を楽に開放（前側への横引き）し得るようにした遊技機の施錠装置を提供することを目的とする。
【課題を解決するための手段】
【０００９】
上記目的達成のため、本発明の遊技機は、固定保持用の外枠と、必要な遊技構成部材を装備した開閉搭載用の前枠とが、互いの一側縁に配設されたヒンジ部を介して開閉可能に連結支持されるとともに、互いの他側縁に配設された解錠操作形態の施錠装置を介して閉鎖保持されるように遊技機が構成される。この施錠装置は、前枠の他側縁に固定された基枠体に対して昇降自在に支持されて常には施錠方向へ作用する施錠付勢力により前記施錠方向に付勢保持される昇降作動杆と、基枠体に上下方向に傾動自在に支持されるとともに昇降作動杆と連結され、昇降作動杆の昇降移動に伴って傾動されて外枠の他側縁に配設された受け具に対して係脱可能なフック部材と、基枠体の所定部位または近傍所定部位に傾動自在に支持されて常には前記昇降作動杆に向かう方向へ作用する規制付勢力により前記昇降作動杆に向かう方向に付勢保持される規制部材と、昇降作動杆の所定部位に設けられ、昇降作動杆の昇降移動に伴って規制部材に設けられた規制部材側係合部と係合可能な昇降作動杆側係合部とを備えている。そして、この施錠装置では、解錠操作に基づく昇降作動杆の解錠方向への変位に伴い、フック部材が受け具との係合が外れる解離位置を越えてさらに傾動された位置において、規制部材が前記規制付勢力により昇降作動杆の方向に傾動されて規制部材側係合部と昇降作動杆側係合部が係合することにより昇降作動杆の施錠方向への移動およびフック部材の受け具の方向への傾動が規制されるとともに、規制部材を前記規制付勢力に抗して昇降作動杆から離れる方向に傾動操作すると規制部材側係合部と昇降作動杆側係合部との係合が解除され、昇降作動杆が前記施錠付勢力により施錠方向に移動されてフック部材が受け具と係合可能な位置に傾動されるように構成されている。
【発明の効果】
【００１０】
本発明に係る施錠装置では、解錠操作が行われると、前枠に固定された基枠体に対して昇降自在に支持された昇降作動杆が、その解錠操作に基づいて基枠体に対して昇降移動し、この昇降作動杆と繋がれて常には外枠側の受け具と施錠係合状態に付勢保持されるフック部材が、受け具との解離位置を超えて傾動され、フック部材と受け具との係合が解除される。ここで、本発明に係る施錠装置には、基枠体の所定部位または基枠体近傍の所定部位に、傾動可能に支持されて常には昇降作動杆に対する係合方向に付勢されるとともに、この係合方向に対する所定位置に傾動が制止された規制部材が設けられている一方、昇降作動杆の所定部位には規制部材に設けられた係合案内部に対して係脱可能に係合し得る係合部が備えられている。そして、解錠操作に基づく昇降作動杆の解錠方向への変位に伴い、これと繋がれたフック部材が受け具から解離した以降の位置（フック部材が受け具との解離位置を超えて所定量以上傾動した位置をいい、例えば、実施例における解錠保持位置Ｐ2）において、規制部材の自己傾動変化により昇降作動杆の係合部が規制部材の係合案内部の所定位置に係合し、昇降作動杆の施錠方向への変位を規制してフック部材を解錠保持位置に拘束する。一方、規制部材が反係合方向に変位されて昇降作動杆の係合部が規制部材の係合案内部から解かれたときには、昇降作動杆の付勢自己復帰に伴ってフック部材が元の施錠保持状態に復帰保持しうるように設定して構成されている。
【００１１】
すなわち、解錠操作に基づいてフック部材が解錠保持位置を超えて傾動されると、規制部材を反係合方向に変位させるまでその解錠保持状態が維持され、解錠操作の力（例えば鍵の捻り力）を開放してもフック部材はその解錠保持位置に拘束される。このため、前枠組立体を開放する際に、一旦解錠保持位置まで解錠操作を行った後は、管理者が鍵を捻り操作した状態のまま保持する必要がなく、例えば打球発射装置の操作ハンドル部や遊技玉を貯める下皿部など、引き出し操作や支持操作が容易な場所を把持して横引きし前枠組立体を開放することができる。従って、解錠操作の煩雑さや作業負担を軽減して前枠組立体を楽に開放し得るようにした遊技機の施錠装置を提供することができる。
【図面の簡単な説明】
【００１２】
【図１】本発明に係る施錠装置を備える遊技機の一実施例として示すパチンコ機の正面図である。
【図２】上記パチンコ機の背面図である。
【図３】上記パチンコ機の斜視図である。
【図４】本発明の第１実施例に係る施錠装置の全体構成を示す側面図である。
【図５】本発明の第１実施例に係る施錠装置の全体構成を示す背面図である。
【図６】本発明の第１実施例に係る施錠装置の要部を分解して示す斜視図である。
【図７】本発明の第１実施例に係る施錠装置の施錠状態を示す側面図である。
【図８】本発明の第１実施例に係る施錠装置を示す背面図である。
【図９】本発明の第１実施例に係る施錠装置の要部を示す背面図である。
【図１０】本発明の第１実施例に係る施錠装置の解錠操作時における各要部の作用を示す要部詳細側面図である。
【図１１】本発明の第１実施例に係る施錠装置の解錠保持状態における各要部の位置状態を示す要部詳細側面図である。
【図１２】本発明の第１実施例に係る施錠装置の閉鎖施錠時における動作状態を示す説明図である。
【図１３】本発明の第１実施例に係る施錠装置の構成を示すブロック図である。
【図１４】本発明の第２実施例に係る施錠装置の要部を示す側面図である。
【図１５】本発明の施錠装置の第３実施例に係る解錠保持機構の要部を拡大して示す側面図である。
【図１６】本発明の施錠装置に用いた解錠検出部の第３実施例及び第４実施例の要部を示す側面図であり、このうち(a)図は第３実施例、(b)図は第４実施例の各構成を示す。
【図１７】上記第４実施例の解錠検出部による検出信号例を示す説明図である。
【図１８】本発明の施錠装置に用いた解錠検出部の第５実施例の要部を示す側面図である。
【発明を実施するための形態】
【００１３】
以下、本発明の好適な実施例を図面参照して説明する。なお、本実施例では、遊技機として遊技展開部材となる遊技盤を備えた一般的なパチンコ機に施錠装置を実施した例を主に示す。
【００１４】
まず、パチンコ機ＰＭの全体の基本的構成を図１から図３を参照して説明すると、機枠又は機体として所定の外郭方形枠サイズに構成された固定保持枠用の外枠１０と、この外枠１０の前側開口面域に合わせた方形枠サイズに構成された開閉搭載枠用の前枠２０とが、従来と同様に互いの正面左側上下部に配設されたヒンジ部（ヒンジ機構）１，２および正面右側内部に配設された施錠装置５０を利用して、着脱及び開閉が可能に組み付けられて閉鎖保持される。
【００１５】
そしてこの前枠２０に必要な構成部品として、収容枠３９、透明ガラス板３１ａを収容するガラス収容枠３１を有したガラス扉３０、上下の球皿３２，３４、打球発射装置３３および関連部材、球貯留・排出部を有する裏機構盤３５、各種の電気部品や制御・中継基盤（ともに図示しない）等が、それぞれの設定基準位置に装備される一方、所定のゲージ設定（入賞装置器具や図柄表示装置、風車、ランプ具等の各種遊技部品と多数本の遊技釘とを合わせた配置設定）に基づく遊技領域ＰＡを構成した前記遊技盤が前記収容枠３９に水平姿勢位置の縦向きで着脱交換可能にセット保持されている。なお、パチンコ機ＰＭは、一般的に全体が所要の後傾角度（例えば、１度位）で縦向きに保持され使用されている。
【００１６】
このようなパチンコ機にあって、前記外枠１０は、木材や樹脂材等で成形加工された複数本の定形尺の枠部材すなわち上下の枠板１１，１４及び左右の枠板１２，１３を直角に枠組み連結すると共に、各隅角部に補強金具を固定して構成されており、下枠板１４では、底板１７の上面前縁に沿って支持台板としての幕板１６が、左右の枠板１２，１３間に亘って連結されて頑強な耐久強度を有する構造とされ、これに補強連杆１５が、必要の有無に応じて連結されたタイプがある。ちなみに外枠１０の前側開口面域は、前記上左右の枠板１１，１２，１３の前面と下枠板１４の幕板１６上面とに亘る方形面域をいう。
【００１７】
一方前記前枠２０は、木材や樹脂材等で外枠１０の前側開口面域に合わせた若干小型枠に構成されており、前記収容枠３９と別体組合せ、一体樹脂成形等のタイプがある。そして前記上下のヒンジ部１，２は、一般的な形態として外枠１０と前枠２０との所定位置に固定されて互いに整合し得る補強兼用の支持金具１ａ，１ｂ，２ａ，２ｂ同士の軸ピンと軸孔との嵌挿ヒンジ形態とされている。これにより前枠２０は、この機構１，２を利用して片持ち支持形態で前方への引出開放と後方への押し込み閉鎖ができるようになっており、また下のヒンジ部２の軸ピン・軸孔同士の連結支持位置を設定基準高さに観て、前枠２０の下端縁が、外枠１０の幕板１６上面に対して適宜平行間隔（図１に示す間隔ｔ１およびｔ２が等しくなる設定）を置いた浮き上がり状態で整合した水平姿勢・位置に保持されることが基本設定とされる（図１参照）。
【００１８】
さて前述したようなパチンコ機ＰＭに実施される本実施例の施錠装置５０は、前枠２０の右側方所定位置に取り付けられた主要機構部と外枠１０の右側方内側の所定位置に取り付けられた受け具とから構成され、パチンコ機の遊技提供状態にあっては、外枠１０に合わせて閉鎖されている前枠２０及び必要構成部材（前枠組立体）の閉鎖状態を保持し得る一方、外枠１０に対して前枠組立体を楽に開放（前方への横引き）し得るように図っている。以下、施錠装置の具体的な実施例について各実施例毎に詳細に説明する。
【００１９】
まず、図４から図１２に本発明の施錠装置の第１実施例を示している。このうち、図４は図２中にIV-IV矢視で示す前枠組立体が閉鎖保持された状態における施錠装置５０の全体構成を示し、図５は図４中にV矢視で示す施錠装置５０の背面図を示している。
【００２０】
施錠装置５０は、例えば薄板板金材料を打ち抜き及びプレス成形して概略Ｌ字断面の所要形状に成形されて、ネジ等の図示せぬ固定手段で前枠２０の右側部背面側に固定配設された基枠体５１と、同様の成形加工により成形されこの基枠体５１に対して上下方向に昇降移動自在に支持された第１昇降作動杆５３、基枠体５１の上下端部に形成された支持辺部５１ａ，５１ａにおいて傾動連結支点５４，５４で傾動自在に枢結されるとともに、上記第１昇降作動杆５３の上下端部と連接支点５６，５６で連結された上下のフック部材５５，５５、上下の支持辺部を結んで延びる基枠体５１の立設面と第１昇降作動杆５３との間に摺動自在に挟持され案内ピン５２をもって上下方向に昇降移動自在に取り付けられた第２昇降作動杆６３、基枠体５１の固定面側に固定配設されて前枠前面に鍵穴が露出配設される錠６２、錠の回動軸に固定されて解錠操作時以外には中立角度位置で保持される解錠盤６１、第１昇降作動杆５３を常時下方に付勢するバネ５７、第２昇降作動杆６３を常時上方に付勢するバネ６４、所定位置において第１昇降作動杆５３の施錠方向への移動を規制する解錠保持機構７０、第１昇降作動杆５３の変位状態を検出する解錠検出部８０、及び外枠１０における右枠板１３の内側面に固定配設されて施錠時にフック部材５５，５５と係合して前枠全体を閉鎖保持する受け具６５，６５などから構成されている。
【００２１】
第１昇降作動杆５３は、傾動連結支点５４，５４で基枠体５１に枢結されたフック部材５５，５５と連接支点５６，５６で連結されてリンク機構を構成し、基枠体５１に対して僅かに前後方向に相対変位しつつ昇降移動可能に配設されるとともに、基枠体５１に切り起こし成形で形成された複数のガイド部５１ｂ，５１ｂ…と基枠体の立設面との間で第１昇降作動杆の左右方向（図４における紙面直交方向）への変位が規制され、解錠操作時に第１昇降作動杆５３に作用する圧縮応力により平板部が撓み変形(座屈変形)して逃げないように構成されている。また、基枠体５１の立設面における下端部には、第１昇降作動杆５３がバネ５７の付勢力で所定の施錠位置を越えて下方に移動しないように規制する下端ストッパ部５１ｃが形成されている。これにより、第１昇降作動杆５３は基枠体５１に対して昇降移動自在であり常時施錠方向に付勢されつつ所定の施錠位置に保持されて配設されている（施錠保持状態）。
【００２２】
また、上下のフック部材５５，５５は、上記リンク機構の作用により第１昇降作動杆５３と連動され、第１昇降作動杆５３が昇降移動することによって傾動連結支点５４，５４を回転中心として上下に傾動自在である。ここで、上下のフック部材５５，５５は、上記した第１昇降作動杆５３の施錠保持状態において略水平姿勢となり、外枠における右枠板１３の内側面に固定配設された受け具６５，６５と係合して前枠全体を閉鎖保持する施錠係合状態となるように設定されている。
【００２３】
このため、上述した第１昇降作動杆５３の昇降機構及びリンク機構により、常には上下のフック部材５５，５５がそれぞれ受け具６５，６５と係合して前枠全体を閉鎖保持する施錠係合状態を維持するとともに、第１昇降作動杆５３を上動させることにより上下のフック部材５５，５５を傾動連結支点５４，５４を回転中心としてフック先端部を下方に傾動させ、受け具との係合を解離させて前枠組立体を開放させることができるように構成されている。
【００２４】
第２昇降作動杆６３は、ガラス扉３０の施錠状態を解錠作動させて、ガラス扉３０を前方に開放させるための作動杆である。第２昇降作動杆６３は、基枠体５１の立設面と第１昇降作動杆５３との間に摺動自在に挟持されるとともに、第１昇降作動杆５３に形成された案内長孔部５３ｂと第２昇降作動杆に形成された案内長孔部６３ｂとを嵌通して基枠体５１に固着されたリベット状の案内ピン５２により、基枠体５１の立設面と第１昇降作動杆５３との間に昇降移動自在に保持されている。第２昇降作動杆６３には、遊技機内方に折り曲げられて基枠体５１に形成された孔部（不図示）を通り、裏機構盤３５に向けて突出する操作辺部６３ａが形成されている。第２昇降作動杆６３は基枠体５１との間に掛け渡されたバネ６４によって常時上方に付勢されるとともに、基枠体５１に形成された前記孔部の端面とこの孔部を通る操作辺部６３ａの上端部とが当接することにより図示する施錠位置に係止保持されている。
【００２５】
前枠３０には操作辺部６３ａの下方に位置してガラス扉施錠杆６６が配設されており、常には上方に付勢されてガラス扉３０を施錠状態で保持し、付勢力に抗して下方に押圧移動されたときにガラス扉３０を解錠し、ガラス扉３０の左側縁に配設されたヒンジ部を介してガラス扉３０前方に開かせる。このため第２昇降作動杆６３を付勢力に抗して下方に移動させ、ガラス扉施錠杆６６を下動させることによりガラス扉３０を開放させることができる。
【００２６】
錠６２は一般に「ダブル錠」とも呼ばれている形態の錠が使用されている。この錠はいわゆる解錠操作型の錠であり、解錠操作が行われていない状態において錠の回動軸が中立角度位置に付勢保持されている。錠６２に適合する鍵が前枠前面に露出する錠６２の鍵穴に嵌挿されると、錠の回動軸が回動可能な状態に設定され、鍵を右回りまたは左回りの二方向に捻り操作することが可能になる。この回動軸の軸端に解錠盤６１が固定されている。
【００２７】
解錠盤６１はカム盤とも称され、薄板板金材料をプレス成形して図示するような二つの突出端部、すなわち第１突出端部６１ａおよび第２突出端部６１ｂを有する所定のカム形状に形成されている。このうち第１突出端部６１ａは前枠を解錠させる作動端としての機能を有し、その先端上面が第１昇降作動杆５３に形成された係合孔部５３ｃと係合可能に設定されている。また、第２突出端部６１ｂはガラス扉３１を解錠させる作動端としての機能を有し、その先端下面が第１昇降作動杆に形成された係合孔部５３ｃを通して第２昇降作動杆６３に形成された係合孔部６３ｃと係合可能に設定されている。
【００２８】
このため、例えば、前枠前面側から鍵により右回りに解錠操作を行ったときには、解錠盤６１が図５における左回り（反時計回り）に回動され、第１突出端部６１ａの先端上面が第１昇降作動杆５３における係合孔部５３ｃの開口端面と係合して第１昇降作動杆５３を上昇方向に移動可能となる。従って、この係合位置からバネ５７の付勢力に抗して第１昇降作動杆５３を上動させることにより、前記したリンク機構の作用で上下のフック部材５５，５５を傾動させて受け具６５，６５との係合を解離させ、前枠組立体を開放させることができる。
【００２９】
一方、前枠前面側から鍵により左回りに解錠操作を行ったときには、解錠盤６１が図５における右回り（時計回り）に回動され、第２突出端部６１ｂの先端下面が第２昇降作動杆６３における係合孔部６３ｃの開口端面と係合して第２昇降作動杆６３を下降方向に移動可能となる。従って、この係合位置からバネ６２の付勢力に抗して第２昇降作動杆６３を下動させることにより、操作辺部６３ａでガラス扉施錠杆６６を下動させ、前枠に対してガラス扉３０のみを開放させることができる。
【００３０】
さて、このように構成される施錠機構の上方部には解錠保持機構７０と解錠検出部８０とが設けられている。図６には解錠保持機構７０と解錠検出部８０の要部を分解した状態で要部分解斜視図として示し、図７には施錠時における上記要部の右側面図を、図８及び図９には上記要部の背面図及び解錠保持機構７０の部分を更に拡大して示す背面図を示しており、以下これ等の各図を参照して解錠保持機構７０から説明する。
【００３１】
解錠保持機構７０は、規制部材７１、規制部材７１を常時第１昇降作動杆５３方向（前枠前方）に付勢する捻りバネ７２、外周面で捻りバネ７２の内周を支持するとともに規制部材７１を基枠体５１から一定間隔をもって隔離配設させるスペーサ７３、規制部材７１の軸孔とスペーサ７３の軸孔を通して先端部が基枠体５１に固着され、軸部で規制部材７１を傾動自在に支持するとともにフランジ状に形成された頭部とスペーサ７３とで規制部材７１を挟持して軸方向への移動を規制する支点７４、基枠体５１の立設部に形成されて前記支点７４を介して組み付けられる前記規制部材等を支持する支持部５１ｄ、並びに基枠体立設部から規制部材方向に折り曲げ成形されて突出し上記付勢された規制部材７１の傾動端部（制止部７１ｂ）を制止支持するストッパ部５１ｅ、及び第１昇降作動杆５３から規制部材方向に折り曲げ成形されて突出し規制部材７１と係合可能な係合部５３ｄなどで構成され、図７ないし図９に示したように組み付けられている。
【００３２】
規制部材７１は、係合部５３ｄと係脱可能に係合し得る係合案内部７１ａ、前記ストッパ部５１ｅと当接可能な位置に形成された制止部７１ｂ、捻りバネ７２の付勢力に抗して規制部材７１を反係合方向（係合部５３ｄと反対方向）に傾動させるときに手動操作可能な摘み部７１ｃなどの各部が形成され、下端部が支点７４に支持されて傾動レバー形態で基枠体５１の支持部５１ｄに配設されている。係合案内部７１ａには、該係合案内部の下側端面を構成し係合部５３ｄの上端部と係合する斜面状の案内端面７１adと、係合案内部７１ａの上側端面を構成し係合部５３ｄの下端面と係合する水平面状の係止端面７１auとが形成されている。
【００３３】
そして規制部材７１は基枠体の支持部５１ｄにおいて支点７４を介して傾動可能に支持されて、常には捻りバネ７２の付勢力により第１昇降作動杆の係合部５３ｄの方向に向けて付勢されるとともに、その制止部７１ｂが基枠体のストッパ部５１ｅに当接して係合案内部７１ａにおける案内端面７１adと第１昇降杆５３における係合部５３ｄの上端部とが当接直前となる所定位置に制止保持される。
【００３４】
以下、上記のように構成される解錠保持機構７０の作用について、図１０から図１２の各図を加えて参照しながら説明する。ここで、図１０は解錠操作中における解錠保持機構７０の要部詳細図を、図１１は解錠保持機構７０によって解錠保持されたときの解錠保持機構７０及びフック部５５近傍の状態を、図１２は解錠保持を解除して前枠組立体を閉鎖するときのフック部近傍の状態をそれぞれ右側面図として示している。
【００３５】
図１０は、解錠操作が行われて第１昇降作動杆５３が上動されている過程における規制部材７１の変位状況を示したものである。解錠操作が行われて第１昇降作動杆５３が上動されると、この作動杆に形成された係合部５３ｄがこれに伴って上動し、その上端部と規制部材７１の係合案内部における案内端面７１adとが当接する。案内端面７１adは前述したように斜面状に形成されており、係合部５３ｄが上動するとこの案内端面７１adの当接点には斜面と直交する方向に押圧力が作用する。このため、係合案内部７１ａが図１０における右方向に押圧され、規制部材７１は支点７４を回動中心として傾動される。このようにして係合部５３ｄは案内端面と係合しながらこの斜面を滑るように押圧し規制部材７１は第１昇降作動杆５３の上動に伴って傾動される。
【００３６】
第１昇降作動杆５３が上動されて案内端面７１adの先端角部を越えると、係合案内部７１ａの先端部が係合部５３ｄの面上に乗り上げ、捻りバネ７２の付勢力でこの面と当接しながら面上を滑るようにして移動する。そして、第１昇降作動杆５３が更に上動されて係合部５３ｄの下端角部が係合案内部７１ａの上端角部を越えると、係合案内部７１ａと係合部５３ｄとの係合が解除され、規制部材７１は捻りバネ７２の付勢力によって図における左方に傾動する（自己傾動変化）。左方への傾動は規制部材における制止部７１ｂが基枠体のストッパ部５１ｅと当接して制止され、係合案内部７１ａの先端部が第１昇降杆の係合部５３ｄ下方に突出した状態で制止保持される（図１０→図１１）。
【００３７】
このように第１昇降杆の係合部５３ｄが規制部材の係合案内部７１ａを越えて上動して規制部材７１が制止保持されると、その後解錠操作の捻り力を開放してバネ５７の付勢力で第１昇降作動杆５３が下降しようとしても、係止部５３ｄの下端面が規制部材７１の係止端面７１auと当接して係止され、その係止位置以下に第１昇降作動杆５３が下降することが規制される。
【００３８】
第１昇降作動杆５３の規制位置は、フック部材５５と受け具６５との関係において、図１１に示すように、第１昇降作動杆５３の上動に伴って傾動されるフック部材５５の上端部５５ａが受け具６５の下端部６５ａとの解離位置Ｐ1を越えて下方に傾動され、さらに所定のクリアランスｈを保持する位置（「解錠保持位置」という）Ｐ2となるように設定されている。
【００３９】
このため、解錠操作に基づいて第１昇降作動杆５３が上動され、フック部材５５が受け具６５との解離位置Ｐ1を越えて解錠保持位置Ｐ2まで傾動されると、規制部材７１が傾動して係止端面７１auと第１昇降作動杆の係合部５３ｄとが係合し、第１昇降作動杆５３と連接するフック部材５５を解錠保持位置Ｐ2に拘束する。従って、管理者が鍵を捻り操作を維持したまま引き出し操作する必要がなく、例えば打球発射装置３３の操作ハンドル部３３ａや下皿部３４など、引き出し操作や支持操作が容易な部位を把持して前枠組立体を楽に横引きし開放することができる。これにより、解錠操作の煩雑さや作業負担を軽減して前枠組立体を楽に開放し得る施錠装置を提供することができる。
【００４０】
また、前枠組立体を開放して所望の作業を行った後、閉鎖保持して遊技に供するときには、規制部材７１に設けられた摘み部７１ｃを手動操作して図１１中に二点鎖線で示すように傾動させることにより、係止端面７１auと第１昇降作動杆の係合部５３ｄとの係合を開放することができる。このとき、第１昇降作動杆５３及びこれと連接するフック部材５５は、第１昇降作動杆５３を下方に向けて付勢するバネ５７の付勢力により、元の施錠保持状態に復帰保持される。
【００４１】
この施錠保持状態において前枠組立体を閉鎖させ施錠させるときのフック部材５５の傾動状態を図１２(a)(b)(c)に時系列で示している。施錠保持状態で前枠組立体を閉じて行くと（図１２(a)）、フック部材５５前縁に形成された斜面状の係合案内部５５ｂと受け具６５の下端部６５ａとが当接し（図１２(b)）、更に前枠前面側から押圧されると、フック部材５５は受け具６５から抗力を受けて下方に押圧され、その結果、第１昇降作動杆５３に作用するバネ５７の付勢力に抗して傾動連接支点５４を支点として傾動される。そして、係合案内面５５ｂが受け具下端部６５ａと滑るように係合しながら傾動され、係合案内面５５ｂの上端部５５ａが受け具との係合を外れる位置、すなわち解離位置Ｐ1を越えると、受け具６５から受ける抗力が開放され第１昇降作動杆５３に作用するバネ５７の付勢力によって施錠保持状態に復帰保持される（図１２(c)）。
【００４２】
ここで、前述した解錠保持位置Ｐ2との関係については、図１１に示したように解錠保持位置Ｐ2はフック部材の上端部５５ａが解離位置Ｐ1を越えてさらに所定のクリアランスｈだけ傾動された角度位置に設定されているため、上記のようにフック部材５５が解離位置Ｐ1まで強制的に傾動された角度位置では、第１昇降作動杆５３及びフック部材５５は未だ解錠保持されない。従って、上記したようにフック部材５５が自己復帰し施錠保持状態が維持される。これにより、施錠時に鍵を用いて解錠状態を維持して閉鎖操作する必要がなく、簡便な操作で前枠組立体を閉鎖することができる。
【００４３】
次に、解錠検出部８０について更に図１３を加えて説明する。解錠検出部８０は既に図４から図１１の各図に示したように、例えばリミットスイッチ８１と第１昇降作動杆５３に形成したスイッチ操作部５３ｅとから構成し、このリミットスイッチ８１が昇降作動杆５３（スイッチ操作部５３ｅ）の解錠方向への変化を検出したことに基づいて、図１３に示すように遊技機の制御基板８５を介して前枠前面側に設けられたランプ９１や、遊技施設の管理室等に設けられたランプ９１やスピーカ９２、管理用コンピュータのＣＲＴ画面等の報知手段９０を作動し得るように構成されている。
【００４４】
第１昇降作動杆５３には前枠後方に突出する凸形のスイッチ操作部５３ｅが形成されるとともに、リミットスイッチ８１はこのスイッチ操作部と対峙するように前枠２０にネジ等の固定手段で取り付けられている。その相対位置関係は、図７に示すように、施錠保持状態においてスイッチ接点がノーマル状態（例えばノーマル・クローズ型(Ｂ接型)のスイッチにおいてクローズ状態）であり、第１昇降作動杆５３が所定量以上解錠方向に変位したときに操作状態（同、オープン状態）になるように設定されている。
【００４５】
そこで、例えば、スイッチ接点がノーマル状態から操作状態に変化するターニングポイントを前述した解離位置Ｐ1近傍に設定し、この解離位置Ｐ1を越えてフック部材が解錠側に傾動されているときに前枠前面側に設けられたランプ９１を点灯させるように構成にすることができる。このような構成によれば、解錠保持機構７０によって第１昇降作動杆５３の自己復帰作動が規制され、フック部材５５が解錠保持位置に保持されているときにランプ９１が点灯された報知状態となるため、規制部材の規制解除操作を忘れて前枠を閉鎖させたような場合であっても、その状態が前枠前面側から確認可能である。これにより、上記のような解錠保持機構７０を有する施錠装置において施錠装置の施錠・解錠状態が如何にあるかを前枠前面側から確認でき、施錠忘れを未然に防止することができる。
【００４６】
また、例えば、スイッチ接点のターニングポイントを、第１昇降作動杆５３が施錠保持状態の位置からわずかに上動した位置に設定し、所定時間内にこのスイッチ接点が所定回数以上の頻度で開閉されたときに制御基板８５が異常と判断し、遊技機の外部出力端子基板を介して遊技施設の管理室等に設けられたランプ９１やスピーカ９２等を作動させ、あるいは管理用コンピュータのＣＲＴ画面上に当該遊技機に異常がある旨のワーニング表示を行うように構成することもできる。
【００４７】
施錠装置の錠６２に合致した適正な鍵を用いずに解錠させようとする不正解錠操作では、特殊な工具等を用いて錠６２を無理に解錠させバネ５７の付勢力に抗して第１昇降作動杆５３を上動させようとすることから、第１昇降作動杆５３が一度に解錠位置まで上動することは稀であり、一般に、不規則な上下動を繰り返しながら上動される。従って、上記のような設定構成によれば、不正な解錠操作を検知することができるとともに、このような解錠操作に基づく不正行為を未然に防止することができる施錠装置を提供することができる。
【００４８】
なお、上記のような不正解錠操作の防止を目的とする解錠検出部８０にあっては、解錠保持機構７０は必ずしも併設する必要はなく、解錠保持機構７０のない施錠装置においても同様に構成し、同様の効果を得ることができる。
【００４９】
次に、解錠保持機構及び解錠検出部の他の好ましい実施例を、第２実施例として図１４に示す。図１４は図１０と同様に上記機構部等の要部詳細図（側面図）であり、施錠装置の主要部はこれまでに説明したと同様に構成されている。以下第１実施例と同一の構成要素については同一番号を付して重複説明を省略し、異なる構成要素についてその構成と作用を説明する。
【００５０】
まず、本実施例における解錠保持機構１７０は、前述した解錠保持機構７０と同様に第１昇降作動杆５３が解錠操作に基づいて上動され、フック部材５５が解錠保持位置Ｐ2まで傾動されたときに、第１昇降作動杆５３の施錠方向への自己復帰作動を規制して解錠保持状態を維持する解錠保持機構である。
【００５１】
解錠保持機構１７０は、規制部材１７１、該規制部材１７１を基枠体５１から一定間隔をもって隔離配設させるスペーサ７３、先端部が規制部材１７１の軸孔とスペーサ７３の軸孔を通して基枠体５１に固着され、規制部材１７１を所定位置に傾動自在に支持する支点７４、基枠体５１の立設部に形成されて前記支点７４を介して規制部材を支持する支持部５１ｄ、規制部材１７１の先端部と基枠体との間に張り渡されて規制部材１７１を第１昇降作動杆方向に付勢する引っ張りバネ１７２、基枠体５１の立設部から規制部材方向に折り曲げ成形されて突出し上記付勢された規制部材の制止部１７１ｃを制止支持するストッパ部５１ｅ、及び第１昇降作動杆５３から規制部材方向に突出して固着配設され規制部材１７１と係合可能なピン状の係合部１５３ｄなどで構成されている。
【００５２】
規制部材１７１には、係合部１５３ｄと係脱可能に係合し得る係合案内部１７１ａ、前記ストッパ部５１ｅと当接可能な位置に形成された制止部１７１ｂ、引っ張りバネ１７２の掛止端であるとともに、規制部材の係合を解除するときに手動操作可能な摘み部１７５が形成され、下端部が支持部５１に支点７４で傾動可能に支持されている。係合案内部１７１ａには当該係合案内部の下端面を構成する斜面状の案内端面１７１adと、係合案内部の係合案内部の上端面を構成する水平面状の係止端面１７１auとが形成されている。
【００５３】
規制部材１７１は基枠体の支持部５１ｄにおいて支点７４を介して傾動可能に支持されて、常には引っ張りバネ１７２の付勢力により第１昇降作動杆の係合部１５３ｄの方向に向けて付勢されるとともに、その制止部１７１ｂが基枠体のストッパ部５１ｅに当接して係合案内部１７１ａにおける案内端面１７１adと第１昇降杆５３における係合部１５３ｄとが当接直前となる所定位置に制止保持される。
【００５４】
このように構成される解錠保持機構１７０において、解錠操作が行われて第１昇降作動杆５３が上動されると、図１０及び図１１を参照して前述したと同様にして、第１昇降作動杆に固着されたピン状の係合部１５３ｄがこれに伴って上動し、規制部材の案内端面１７１adを押圧する。規制部材１７１はこの係合部１５３ｄに押圧されて、案内端面１７１adがピン上を滑るように逃げて支点７４を回動中心として傾動され、規制部材１７１は第１昇降作動杆５３の上動に伴って傾動される。そして、係合部１５３ｄが係合案内部１７１ａの上端角部を越えると、係合案内部１７１ａと係合部１５３ｄとの係合が解除され、規制部材１７１は引っ張りバネ１７２の付勢力によって制止部１７１ｂがストッパ部５１ｅと当接して制止される角度位置まで傾動復帰され、当該位置で制止保持される。
【００５５】
このため、規制部材１７１が傾動復帰して制止保持された後には、第１昇降作動杆５３がバネ５７の付勢力で下降しようとしても、係止部１５３ｄが規制部材１７１の係止端面１７１auと当接して係止され（図１４に二点鎖線で示す）、その係止位置以下に第１昇降作動杆５３が下降することが規制される。この規制位置におけるフック部材５５と受け具６５との関係は、既に図１１を用いて説明したと同様であり、フック部材５５の上端部５５ａが受け具６５の下端部６５ａとの間に所定のクリアランスｈを保持する解錠保持位置Ｐ2となるように設定されている。
【００５６】
従って、管理者が鍵を捻り操作を維持したまま引き出し操作する必要がなく、例えば打球発射装置の操作ハンドル部３３ａや下皿部３４など、引き出し操作や支持操作が容易な部位を把持して前枠組立体を楽に横引きし開放することができる。これにより、解錠操作の煩雑さや作業負担を軽減して前枠組立体を楽に開放し得る施錠装置を提供することができる。また、本実施例によれば昇降動する係合部としてピン状の係合部１５３ｄを用いているため、規制部材１７１との摩擦係数が小さく、傾動作動(規制作動)、解除作動とも滑らかな作動を保証することができ、摩耗を低減して長期信頼性の高い解錠保持機構を有した施錠装置を提供できる。
【００５７】
また、前枠組立体を開放して所望の作業を行った後に閉鎖保持して遊技に供するときには、規制部材１７１に設けられた摘み部１７５を手動操作して規制部材を傾動させることにより、係止端面１７１auと第１昇降作動杆の係合部１５３ｄとの係合を開放することができる。本実施例では摘み部１７５を規制部材の傾動端部に設けているため、モーメントアームが長くなり軽い開放力で係合を開放することができる。
【００５８】
係合が開放されると、第１昇降作動杆５３及びこれと連接するフック部材５５は、第１昇降作動杆５３を下方に向けて付勢するバネ５７の付勢力により、元の施錠保持状態に復帰保持される。なお、施錠保持状態において前枠組立体を閉鎖させ施錠させるときのフック部材５５の傾動状態は図１２(a)(b)(c)に時系列で示したものと同様である。従って、前枠閉鎖時に鍵を用いて解錠状態を維持したまま閉鎖操作する必要がなく、簡便な操作で前枠組立体を閉鎖することができる。
【００５９】
また、本実施例における解錠検出部１８０は、前示した解錠検出部８０と同様の構成において、第１昇降作動杆５３に形成するスイッチ操作部として円筒状のコロ１８２を用い、このコロをピン１８３で回動自在に軸支して第１昇降作動杆５３に取り付けている。リミットスイッチ１８１とコロ１８２との相対位置関係は前述した解錠検出部８０と同様の位置関係に配設されており、リミットスイッチ１８１の検出信号は、図１３に示すように遊技機の制御基板８５を介して前枠前面側に設けられたランプ９１や、遊技施設の管理室等に設けられたランプ９１やスピーカ９２、管理用コンピュータのＣＲＴ画面等の報知手段９０を作動し得るように構成されている。
【００６０】
このため、解錠操作に基づいて第１昇降作動杆５３が上動し、所定量以上解錠方向に変位したときにその解錠操作を検知することができる。従って、例えば上記のような解錠保持機構１７０を有する施錠装置において、フック部材５５が受け具６５との解離位置Ｐ1を越えて解錠方向にあるときに前枠に設けたランプ９１を点灯作動等させることにより、施錠装置の施錠・解錠状態が如何にあるかを前枠前面側から確認でき、施錠忘れを未然に防止することができる。
【００６１】
また、施錠装置の錠６２に合致した適正な鍵を用いずに解錠させようとする不正解錠操作では、特殊な工具等を用いて錠６２を無理に解錠させバネ５７の付勢力に抗して第１昇降作動杆５３を上動させようとすることから、第１昇降作動杆５３が一度に解錠位置まで上動することは稀であり、一般に、不規則な上下動を繰り返しながら上動される。
【００６２】
従って、例えば所定時間内にこのスイッチ接点が所定回数以上の頻度で開閉されたときに制御基板８５が異常と判断し、遊技機の外部出力端子基板を介して遊技施設の管理室等に設けられたランプ９１やスピーカ９２等を作動させ、あるいは管理用コンピュータのＣＲＴ画面上に当該遊技機に異常がある旨のワーニング表示を行う構成とすることにより、不正な解錠操作を検知してこのような解錠操作に基づく不正行為を未然に防止することができる。またこれ等の本構成によれば、スイッチ操作部とリミットスイッチの作動杆との摩擦摺動による摩耗を低減し、長期信頼性が高い解錠検出部を有した施錠装置を提供することができる。
【００６３】
次に、図１５には本発明に係る解錠保持機構の第３実施例を示している。この解錠保持機構２７０は、以上に説明した二つの解錠保持機構７０，１７０と略同一の機構構成において、規制部材の先端部にその形態的特徴を有するものである。すなわち、この解錠保持機構２７０の規制部材２７１は、例えば第１実施例と同様に捻りバネ７２を用いて基枠体の支持部５１ｄに傾動自在に取り付けられており、その係合案内部２７１ａには斜面状の案内端面２７１adと水平面状の係止端面２７１auとが形成されている。第１昇降作動杆（不図示）には、案内端面２７１adと係合して規制部材を傾動させ、また係止端面２７１auに係止されるピン状の係合部２５３ｄが固着されている（図１４参照）。
【００６４】
ここで、規制部材２７１には、規制部材の傾動軌跡に応じた円弧状の案内長孔２７１ｄが形成されており、その円弧の位置及び長さは係合案内部２７１ａの所定傾動角度範囲に基づいて形成されている。規制部材２７１は捻りバネ７２やスペーサ７３を介して支点７４で基枠体の支持部５１ｄに係止されるとともに、案内長孔２７１ｄを通して基枠体に固着される案内ピン２７６でその傾動範囲が規制支持されている。このため、規制部材２７１は支点７４を傾動中心に傾動自在であるとともに、案内長孔２７１ｄの左右端部位置において案内ピン２７６と当接して傾動範囲が規制される。
【００６５】
すなわち、本実施例ではこの案内ピン２７６と案内長孔２７１ｄとが捻りバネ７２の付勢力に抗して規制部材２７１の傾動を規制制止するストッパ（５１ｅ）の機能を果たすとともに、係合案内部２７１ａと係合部２５３ｄとの係合を開放する際の反係合方向への傾動をも規制する機能を有している。このため、例えば解錠保持状態の規制を解除するために手動操作で規制部材２７１を反係合方向に傾動操作するときに、過度の引っ張り力で捻りバネ７２や引っ張りバネ１７２等の付勢手段を破損させてしまう等の心配がない。
【００６６】
また本構成によれば、規制部材２７１の先端部が案内長孔２７１ｄにおいて案内ピン２７６により軸直角方向に緩く支持されるとともに、案内ピン２７６の頭部で軸方向にも支持されるため、例えば解錠保持状態でフック部材５５に無理な外力が作用し、規制部材２７１が強く下方に押圧されるような状態が発生しても規制部材２７１が座屈変形したり支点７４が破損したりすることがない。従って、簡便な構成で規制部材の両方向への傾動規制を行うとともに、耐破損性・耐久性を高めた解錠保持機構を有した施錠装置を提供することができる。
【００６７】
また、本実施例の規制部材２７１においては、係合案内部２７１ａの上端角部に円弧状の面取りを施して逃がし案内部２７１arを形成している。係止端面２７１auに係止された係合部２５３ｄの係合を開放して解錠保持状態を解除するためには、規制部材２７１を支点７４を傾動中心として傾動させる必要があるが、このとき係合案内部２７１ａの上端角部は僅かに上昇するような円弧状の軌跡を描く。すなわち、このように傾動させるためには係止端面２７１auと２５３ｄとの摩擦抵抗力のみならず、第１昇降作動杆５３に下向きに作用するバネ５７の付勢力に抗して第１昇降作動杆５３を上動させる力が必要になる。
【００６８】
上記のように係合案内部２７１ａの上端角部に円弧状の逃がし案内部２７１arを形成した規制部材２７１では、その先端部が描く傾動軌跡の半径を小さくすることができ、これにより係合を開放するために第１昇降作動杆５３を上動させる移動量を低減させることができる。また、逃がし案内部をこのように円弧状に形成することにより係合部２５３ｄを滑らかに案内することができる。従って、解錠保持状態を解除する際の操作力を低減して軽い操作力で滑らかに解錠状態を解除できる解錠保持機構を提供することができる。なお、以上説明した各解錠保持機構の各部形態はそれぞれ適宜組み合わせて適用可能であることはいうまでもない。
【００６９】
次に、解錠検出部の他の好ましい実施例について図１６を参照して説明する。図１６(a)(b)は、解錠検出部の第３実施例及び第４実施例を示しており、このうち図１６(a)に示す第３実施例にかかる解錠検出部３８０は、第１昇降作動杆５３に略矩形状の突出部として形成した被検出部３５３ｅと、投光部と受光部とがこの被検出部３５３ｅを跨ぐようにして基枠体５１もしくは前枠２０に取り付けられたフォトインタラプタ３８１とから構成されている。
【００７０】
フォトインタラプタ３８１と被検出部３５３ｅとの相対位置関係（すなわちフォトインタラプタ３８１の透光状態から遮光状態へのターニングポイント）は、前述した解錠検出部８０におけるリミットスイッチ８１とスイッチ操作部５３ｅとの相対位置関係と同様の位置関係に配設されており、フォトインタラプタ３８１からの検出信号は、図１３に示したように遊技機の制御基板８５を介して前枠前面側に設けられたランプ９１や、遊技施設の管理室等に設けられたランプ９１やスピーカ９２、管理用コンピュータのＣＲＴ画面等の報知手段９０を作動し得るように構成されている。
【００７１】
このため、解錠操作に基づいて第１昇降作動杆５３が上動し、所定量以上解錠方向に変位したときにその解錠操作を検知することができる。従って、例えば前述した解錠保持機構（７０，１７０，２７０等）を有する施錠装置において、フック部材５５が受け具６５との解離位置Ｐ1を越えて解錠方向にあるときに前枠に設けたランプ９１を点灯作動等させることにより、施錠装置の施錠・解錠状態が如何にあるかを前枠前面側から確認でき、施錠忘れを未然に防止することができる。
【００７２】
また、施錠装置の錠６２に合致した適正な鍵を用いずに解錠させようとする不正解錠操作では、特殊な工具等を用いて錠６２を無理に解錠させバネ５７の付勢力に抗して第１昇降作動杆５３を上動させようとすることから、第１昇降作動杆５３が一度に解錠位置まで上動することは稀であり、一般に、不規則な上下動を繰り返しながら上動される。
【００７３】
従って、例えば所定時間内にフォトインタラプタ３８１の投光部と受光部間が所定回数以上の頻度で遮断されたときに制御基板８５が異常と判断し、遊技機の外部出力端子基板を介して遊技施設の管理室等に設けられたランプ９１やスピーカ９２等を作動させ、あるいは管理用コンピュータのＣＲＴ画面上に当該遊技機に異常がある旨のワーニング表示を行う構成とすることにより、不正な解錠操作を検知してこのような解錠操作に基づく不正行為を未然に防止することができる。またこれ等の構成によれば、フォトインタラプタ３８１が第１昇降作動杆の解錠方向の移動を非接触で検出することができるため、長期信頼性が高い解錠検出部を有した施錠装置を提供することができる。
【００７４】
図１６(b)に示す第４実施例の解錠検出部４８０は、上記第３実施例の解錠検出部３８０と略同様の構成において、第１昇降作動杆５３に形成する被検出部４５３ｅに光を透過するスリット状の透光部４５３etを形成し、制御基板８５がフォトインタラプタ４８１（不図示）からの検出信号に基づいて異常判断するように構成したものである。図１６(b)には被検出部４５３ｅに二カ所の透光部４５３etを形成した例を示しており、施錠保持状態においては図１６(a)に示したと同様の配設位置関係（透光状態）にある。
【００７５】
解錠操作に基づいて第１昇降作動杆５３が上動されると、この透光部を有する被検出部がフォトインタラプタの投光部と受光部との間を移動し、このときに被検出部４５３ｅに設けた透光部４５３etの配置形態（被検出部の構成形態）に応じた検出信号が出力される。すなわち、フォトインタラプタ４８１からの検出信号は、図中に１から７の番号を付して示す各領域に対して、初期の透光状態１から→２遮光→３透光→４遮光→５透光→６遮光へと変化し、本実施例では最終的に７の透光状態まで変化して解錠保持されるように設定している。
【００７６】
このため、正常な解錠操作に基づいて検出される信号パターンは、その解錠操作の速さ（鍵を捻り操作する回転速度）によって異なるものの、図１７(a)(b)に示すように所定時間内に被検出部４５３ｅの構成形態に対応した信号パターンが検出される。一方、例えば不正な解錠操作が行われたときには、例えば図１７(e)に示すように、一般に、不規則に遮光、透光が繰り返される信号パターンが検出される。また、スリット部やセンサ部等に不正を行ったときには、例えば図１７(c)や(d)に示すように、遮光状態が維持されたままになったり遮光→透光が一度のみであったりするような被検出部４５３ｅの構成形態と一致しない信号パターンが検出される。
【００７７】
従って、制御基板８５に予め正常な解錠操作時の信号パターンを記憶させておき、制御基板８５が正常な信号パターンと随時フォトインタラプタ４８１から入力される検出信号とを比較して、異なるパターンの信号が検出されたときに異常があると判断すること、あるいは制御基板８５に予め所定の異常判断基準を記憶させておきその基準を越えたときに異常があると判断すること、などにより不正な解錠操作を検知することができる。なお、具体的な異常判断基準は種々の基準が考案されるが、その一例を示せば、例えば図示した実施例において、最初の遮光状態検出から所定時間ｔo内に３つ以上の遮光状態が検出された場合や、一定時間以上遮光状態が継続して検出された場合、あるいは最初の遮光状態検出から所定時間内ｔo内に３つの遮光状態と２つの透光状態をへて透光状態が検出されない場合、等が例示される。
【００７８】
そして上記のようにして異常と判断された時に、制御基板８５が遊技機の外部出力端子基板を介して遊技施設の管理室等に設けられたランプ９１やスピーカ９２等を作動させ、あるいは管理用コンピュータのＣＲＴ画面上に当該遊技機に異常がある旨のワーニング表示を行う構成とすることにより、不正な解錠操作に基づく不正行為を未然に防止することができる。またこれ等の構成によれば、フォトインタラプタ３８１が第１昇降作動杆の解錠方向の移動を非接触で検出することができるため、機械的な電気接点を有するスイッチよりもチャタリングが少なくなり、より正確な不正検出が可能になるとともに、長期信頼性が高い解錠検出部を有した施錠装置を提供することができる。
【００７９】
なお、第３及び第４実施例において解錠検出部３８０，４８０を不正操作防止装置として設定し使用する場合には、解錠保持機構は必ずしも併設する必要はない。一方、第４実施例において解錠保持機構と併設する場合には、解錠保持を解除して前枠組立体を閉鎖させるときに、フック部材の傾動作用により第１昇降作動杆が強制的に昇降作動され（図１２参照）、これに伴ってフォトインタラプタ４８１からこの昇降作動に基づいた遮光−透光信号が制御基板に入力される。
【００８０】
そこで、例えば解錠保持機構の近傍にリセットボタンを設けてその信号を制御基板８５に入力させ、あるいは後述するように規制部材の傾動を検出する検出手段を設けてその検出信号を制御基板８５に入力させ、解錠保持状態を解除する際にこのリセットボタンを押圧させ、あるいは規制解除検出手段から規制部材の傾動（係合解除）を検出したときに、一定時間だけ異常判断を行わないように構成することにより、簡便な構成で上記強制的な第１昇降作動杆の昇降作動に伴う誤検出を防止することができる。
【００８１】
あるいは、例えば解錠保持状態を解除したときにフォトインタラプタで検出される信号パターン、及び前枠組立体を閉鎖するときにフォトインタラプタで検出される信号パターンを制御基板８５に設定記憶させておき、上述した不正解錠操作防止の異常判断と同様の異常判断手法を用いて判断する構成とすることにより、第１昇降作動杆の強制的な昇降作動に伴う誤検出を防止することができるとともに、前枠が閉鎖されて施錠状態にあるか否かを確実に検出してその状態を報知可能な施錠装置を提供することができる。
【００８２】
なお、上記第３及び第４実施例では検出手段としてフォトインタラプタを用いて第１昇降作動杆の昇降作動を検出する例を開示したが、検出手段はフォトインタラプタのような透光−遮光状態を検出する手段に限定されるものではなく、例えば、被検出部からの光の反射状態の有無を検出するものであっても良く、更に近接スイッチやリードスイッチのように磁気的に検出するものであっても良い。また、第４実施例における被検出部４５３の構成形態、例えば透光部の配設数を増減させたり、施錠保持状態で遮光状態となるように相対位置関係を設定すること、施錠保持状態と解錠保持状態とで透光と遮光とを反対となるように設定すること、また異常と判断する判断基準などについては適宜変更可能である。
【００８３】
次に、解錠検出部のさらに他の好ましい実施例について図１８を参照して説明する。図示する解錠検出部５８０は、解錠検出部の第５実施例を示しており、第１実施例に開示した解錠保持機構７０において、規制部材７１の傾動位置状態をリミットスイッチ５８１で検出し、その検出信号を図１３に示す制御基板８５に入力して構成している。本実施例においてリミットスイッチ５８１の接点が切り替わるターニングポイント、例えば、スイッチ接点がオープン状態からクローズ状態に変化する変化点は、第１昇降作動杆５３の係合部５３ｄが規制部材７１の案内端面７１auと係合して上動し規制部材７１を傾動させるときの最大傾倒角よりも僅かに小さい傾倒角度位置に設定されている。
【００８４】
このような構成の解錠検出部５８０では、解錠操作に基づいて第１昇降作動杆５３が上動し、第１昇降作動杆５３の係合部５３ｄが規制部材７１の案内端面７１auと係合して規制部材７１を傾動させる過程（最大傾倒角直前）において最大傾倒角直前でその接点がオープン状態からクローズ状態に切り替わり、規制部材における係合案内部７１ａの先端部が係合部５３ｄに乗り上げてこの表面を当接しながら滑っている間クローズ状態が維持され、第１昇降作動杆５３のさらなる上昇により係合部５３ｄと係合案内部との係合が解除されて規制部材７１が捻りバネ７２の付勢力で自己傾動復帰したとき、すなわち解錠保持状態の傾動角度位置になったときに接点がクローズ状態からオープン状態切り替わって、オープン状態が保持される。すなわち、施錠保持状態から解錠保持状態への変化に伴ってリミットスイッチ５８１の接点が一度オープン状態になる。
【００８５】
また、解錠保持状態での所定作業が終了し、規制部材７１による第１昇降作動杆５３の規制を解除するときには、摘み部７１ｃを反係合方向に引いて規制部材７１を傾動させ、係止端面７１auと係合部５３ｄとの係合を開放させる。係止端面７１auと係合部５３ｄとの係合を開放させるためには上記最大傾倒角まで規制部材７１を傾動させる必要があり、このときに再びスイッチ接点がクローズ状態からオープン状態になる。すなわち、解錠保持状態を解除する際にリミットスイッチ５８１の接点が一度オープン状態になる。
【００８６】
制御基板８５はリミットスイッチから入力される検出信号を監視し、スイッチ接点がオープン状態になった回数を加算カウントする。例えば始業点検後に前枠組立体が閉鎖されている状態でのカウント値を初期値として記憶させ、当該カウント値が奇数の場合には解錠状態、複数の場合には施錠状態であると判断する。そして、例えば解錠状態であると判断されるときに、前枠に設けたランプ９１を点灯作動等させることにより、施錠装置の施錠・解錠状態が如何にあるかを前枠前面側から確認でき、施錠忘れや規制部材の復帰忘れなどを防止することができる。
【００８７】
あるいは、制御基板８５が解錠状態の検出時間が予め設定された所定時間を超えて検出されたときに異常と判断し、遊技機の外部出力端子基板を介して遊技施設の管理室等に設けられたランプ９１やスピーカ９２等を作動させ、あるいは管理用コンピュータのＣＲＴ画面上に当該遊技機が解錠状態のままである旨のワーニング表示を行う構成とすることにより、施錠忘れや不正解錠された状態のまま遊技に供されることを防止し、公正な遊技に供することができる。
【００８８】
なお、上記第５実施例では検出手段としてリミットスイッチ５８１を用い、このスイッチで規制部材７１の傾動位置を検出する例を開示したが、検出手段は規制部材の傾動状態を検出可能なものであれば良く、例えば、規制部材における制止部７１ｂの変位をフォトインタラプタ等の光学的検出段や近接スイッチのような磁気的検出手段で検出するものであってもよい。また、例えば規制部材７１に傾動軸を一体的に設けて基枠体においてこの傾動軸を回転自在に支持し、この傾動軸の回転角度を検出するものであっても良い。
【００８９】
なお、以上説明した解錠検出部の各実施例では、施錠装置５０の解錠・施錠状態を検知する手段として、解錠操作に伴って昇降作動しフック部材を傾動させる第１昇降作動杆５３の昇降状態を検出して検知する例と、解錠操作に基づいて傾動され第１昇降作動杆及びフック部材を解錠保持位置に係止保持する規制部材の傾動位置を検出して検知する例とを開示したが、検出部位はこれに限ることなく、例えばフック部材５５の傾動位置を検出するものであっても良い。また、各実施例に開示した解錠検出部は、各実施例に開示したようにそれぞれ単独で用いるのみならず、複合的に用いて施錠装置を構成しても良い。さらにこれ等の解錠検出部を第２昇降作動杆に対しても同様に構成することにより同様の効果を得ることができる。
【符号の説明】
【００９０】
ＰＭ  パチンコ機（遊技機）
Ｐ1    解離位置
Ｐ2    解錠保持位置（フック部材が受け具から解離した以降の位置）
１    ヒンジ部
１０  外枠
２０  前枠
５０  施錠装置
５１  基枠体
５３  第１昇降作動杆（昇降作動杆）
５３ｄ，１５３ｄ，２５３ｄ  係合部
５４  傾動連結支点
５５  フック部材
６５  受け具
７１，１７１，２７１  規制部材
７１ａ，１７１ａ，２７１ａ  係合案内部
８１，１８１，５８１  リミットスイッチ（検出手段）
３８１  フォトインタラプタ（検出手段）
【図１】
2010279823.tif 000003
【図２】
2010279823.tif 000004
【図３】
2010279823.tif 000005
【図４】
2010279823.tif 000006
【図５】
2010279823.tif 000007
【図６】
2010279823.tif 000008
【図７】
2010279823.tif 000009
【図８】
2010279823.tif 000010
【図９】
2010279823.tif 000011
【図１０】
2010279823.tif 000012
【図１１】
2010279823.tif 000013
【図１２】
2010279823.tif 000014
【図１３】
2010279823.tif 000015
【図１４】
2010279823.tif 000016
【図１５】
2010279823.tif 000017
【図１６】
2010279823.tif 000018
【図１７】
2010279823.tif 000019
【図１８】
2010279823.tif 000020
【手続補正書】
【提出日】平成22年10月8日(2010.10.8)
【手続補正１】
【補正対象書類名】特許請求の範囲
【補正対象項目名】全文
【補正方法】変更
【補正の内容】
【特許請求の範囲】
【請求項１】
固定保持用の外枠と、必要な遊技構成部材を装備した開閉搭載用の前枠とが、互いの一側縁に配設されたヒンジ部を介して開閉可能に連結支持されるとともに、互いの他側縁に配設された解錠操作形態の施錠装置を介して閉鎖保持されるようにした遊技機において、
前記施錠装置は、
前記前枠の前記他側縁に固定された基枠体に対して昇降可能に支持される昇降作動杆と、
前記基枠体に上下方向に傾動自在に支持されるとともに前記昇降作動杆と連結され、前記昇降作動杆の昇降移動に伴って傾動されて前記外枠の前記他側縁に配設された受け具に対して係脱可能なフック部材と、
前記昇降作動杆の解錠方向への変位を検出する解錠操作検出部とを備え、
前記解錠操作検出部は、前記昇降作動杆が施錠位置から解錠方向に所定量以上変位したことを検出したときに、所定の報知手段を作動させて前記昇降作動杆が解錠操作されたことを報知させるように構成され、
前記所定量は、前記フック部材と前記受け具との係合を解除するために必要な施錠位置から解錠方向への移動量より小さな値に設定されていることを特徴とする遊技機の施錠装置。
【請求項２】
前記解錠操作検出部は、前記昇降作動杆に形成された被検出部と、前記昇降作動杆が施錠位置から解錠方向に前記所定量変位したときに、発光部から受光部に向けて射出される光が前記被検出部により遮られるように配置され、前記受光部の受光状態に基づいて前記昇降作動杆が施錠位置から解錠方向に前記所定量変位したか否かを検出する光学式センサとを有して構成されることを特徴とする請求項１に記載の施錠装置。
【請求項３】
前記解錠操作検出部は、前記被検出部に光を透過させるスリット状の透光部が形成されるとともに、前記昇降作動杆が施錠位置から解錠方向に前記所定量以上変位したときに、前記光学式センサから前記被検出部に形成された前記透光部の配置形態に応じた検出信号パターンが出力されるように構成され、
前記光学式センサから出力された前記検出信号パターンに基づいて当該解錠操作が正常な解錠操作であるか否かを判断する解錠操作異常判断部を備えることを特徴する請求項２に記載の施錠装置。
【請求項４】
前記基枠体または前記前枠に傾動自在に設けられ、常には前記昇降作動杆に向かう方向へ作用する付勢力により前記昇降作動杆に向かう方向に付勢保持され、前記昇降作動杆の解錠方向への移動に伴って前記昇降作動杆から離れる方向に傾動されるとともに、前記フック部材と前記受け具との係合が解除された解錠状態において前記昇降作動杆の施錠方向への移動を規制する規制部材を備え、
前記解錠操作検出部は、前記昇降作動杆の解錠方向への移動に伴う前記規制部材の傾動を検出することで前記昇降作動杆の解錠方向への変位を検出するように構成されていることを特徴とする請求項１に記載の施錠装置。
【手続補正２】
【補正対象書類名】明細書
【補正対象項目名】０００６
【補正方法】変更
【補正の内容】
【０００６】
このような遊技機に用いられる施錠装置は、前枠組立体を常時閉鎖状態で外枠に保持させることを前提とするため、前枠に取り付けられて解錠操作により外枠側の受け具と解離するフック部材は、解錠操作時を除いて常には受け具との施錠係合状態を維持する方向に付勢される、いわゆる解錠操作形態の施錠装置が用いられている。このため、鍵を用いて解錠し前枠組立体を開放しようとするときには、上記付勢力に抗して鍵を捻り操作し、この操作に応じて昇降移動する昇降作動杆を介してフック部材と受け具との係合を解離させるとともに、その解離状態を維持したまま（すなわち付勢力に抗して鍵を捻り操作したまま）前枠組立体を引き出すようになっている。
【手続補正３】
【補正対象書類名】明細書
【補正対象項目名】０００７
【補正方法】変更
【補正の内容】
【０００７】
ところで、このような施錠装置において適正な鍵を用いずに解錠させようとする不正解錠操作では、特殊な工具等を用いて錠を無理やりに解錠させ上記付勢力に抗して昇降作動杆およびフック部材を解錠方向に移動させようとすることから、昇降作動杆およびフック部材が一度に解錠位置まで移動することは稀であり、一般に、解錠方向への微動と施錠方向への微動とを不規則に繰り返した後に解錠位置まで移動される。しかしながら、従来、このような不正な解錠操作を検知することができ、このような解錠操作に基づく不正行為を未然に防止することができる施錠装置は提案されていないという課題があった。
【手続補正４】
【補正対象書類名】明細書
【補正対象項目名】０００８
【補正方法】変更
【補正の内容】
【０００８】
本発明は、このような課題に鑑みてなされたものであり、不正な解錠操作を検知することができ、このような解錠操作に基づく不正行為を未然に防止することができる遊技機の施錠装置を提供することを目的とする。
【手続補正５】
【補正対象書類名】明細書
【補正対象項目名】０００９
【補正方法】変更
【補正の内容】
【０００９】
上記目的達成のため、本発明の遊技機は、固定保持用の外枠と、必要な遊技構成部材を装備した開閉搭載用の前枠とが、互いの一側縁に配設されたヒンジ部を介して開閉可能に連結支持されるとともに、互いの他側縁に配設された解錠操作形態の施錠装置を介して閉鎖保持されるように遊技機が構成される。この施錠装置は、前枠の他側縁に固定された基枠体に対して昇降可能に支持される昇降作動杆と、基枠体に上下方向に傾動自在に支持されるとともに昇降作動杆と連結され、昇降作動杆の昇降移動に伴って傾動されて外枠の他側縁に配設された受け具に対して係脱可能なフック部材と、昇降作動杆の解錠方向への変位を検出する解錠操作検出部とを備えている。そして、この解錠操作検出部は、昇降作動杆が施錠位置から解錠方向に所定量以上変位したことを検出したときに、所定の報知手段を作動させて昇降作動杆が解錠操作されたことを報知させるように構成され、前記所定量は、フック部材と受け具との係合を解除するために必要な施錠位置から解錠方向への移動量より小さな値に設定されていることを特徴とする。
なお、上記構成の施錠装置において、解錠操作検出部は、昇降作動杆に形成された被検出部と、昇降作動杆が施錠位置から解錠方向に前記所定量変位したときに、発光部から受光部に向けて射出される光が被検出部により遮られるように配置され、受光部の受光状態に基づいて昇降作動杆が施錠位置から解錠方向に前記所定量変位したか否かを検出する光学式センサとを有して構成されることが好ましい。
また、上記構成の施錠装置において、解錠操作検出部は、被検出部に光を透過させるスリット状の透光部が形成されるとともに、昇降作動杆が施錠位置から解錠方向に前記所定量以上変位したときに、光学式センサから被検出部に形成された透光部の配置形態に応じた検出信号パターンが出力されるように構成され、光学式センサから出力された検出信号パターンに基づいて当該解錠操作が正常な解錠操作であるか否かを判断する解錠操作異常判断部を備えて構成されることが好ましい。
また、上記構成の施錠装置において、基枠体または前枠に傾動自在に設けられ、常には昇降作動杆に向かう方向へ作用する付勢力により昇降作動杆に向かう方向に付勢保持され、昇降作動杆の解錠方向への移動に伴って昇降作動杆から離れる方向に傾動されるとともに、フック部材と受け具との係合が解除された解錠状態において昇降作動杆の施錠方向への移動を規制する規制部材を備え、解錠操作検出部は、昇降作動杆の解錠方向への移動に伴う規制部材の傾動を検出することで昇降作動杆の解錠方向への変位を検出するように構成されることが好ましい。
【手続補正６】
【補正対象書類名】明細書
【補正対象項目名】００１０
【補正方法】変更
【補正の内容】
【００１０】
本発明に係る施錠装置では、昇降作動杆の解錠方向への変位を検出する解錠操作検出部を備えており、この解錠操作検出部は、昇降作動杆が施錠位置から解錠方向に所定量以上変位したことを検出したときに、所定の報知手段を作動させて昇降作動杆が解錠操作されたことを報知させるように構成されている。その上で、前記所定量が、フック部材と受け具との係合を解除するために必要な施錠位置から解錠方向への移動量より小さな値に設定されているため、解錠方向への微動と施錠方向への微動とを不規則に繰り返した後に解錠位置まで移動されるような不正な解錠操作を検知することができ、このような解錠操作に基づく不正行為を未然に防ぐことができる。
【手続補正７】
【補正対象書類名】明細書
【補正対象項目名】００１１
【補正方法】変更
【補正の内容】
【００１１】
なお、上記施錠装置において、解錠操作検出部は、昇降作動杆に形成された被検出部と、昇降作動杆が施錠位置から解錠方向に前記所定量変位したときに、発光部から受光部に向けて射出される光が被検出部により遮られるように配置された光学式センサとを有して構成されることが好ましく、このように構成すると、解錠操作検出部が昇降作動杆の解錠方向への変位を非接触で検出することができるため、機械的な電気接点を有するスイッチ機構よりも正確な不正検出が可能になるとともに、長期信頼性が高い解錠操作検出部を有した施錠装置を提供することができる。
また、上記施錠装置において、解錠操作検出部は、被検出部に光を透過させるスリット状の透光部が形成されるとともに、昇降作動杆が施錠位置から解錠方向に前記所定量以上変位したときに、光学式センサから被検出部に形成された透光部の配置形態に応じた検出信号パターンが出力されるように構成され、光学式センサから出力された検出信号パターンに基づいて当該解錠操作が正常な解錠操作であるか否かを判断する解錠操作異常判断部を備えて構成されることが好ましく、このように構成すると、例えば、検出信号パターンと予め記憶させておいた正常な解錠操作時の信号パターンとを比較することにより、不正な解錠操作をより確実に検知することができる。
また、上記施錠装置において、昇降作動杆の解錠方向への移動に伴って昇降作動杆から離れる方向に傾動されるとともに、フック部材と受け具との係合が解除された解錠状態において昇降作動杆の施錠方向への移動を規制する規制部材を備え、解錠操作検出部が、昇降作動杆の解錠方向への移動に伴う規制部材の傾動を検出することで昇降作動杆の解錠方向への変位を検出するように構成されることが好ましく、このように構成すると、不正な解錠操作を検知してこのような解錠操作に基づく不正行為を未然に防ぐことができるとともに、規制部材を備えているため、前枠組立体を開放する際に、一旦解錠保持位置まで解錠操作を行った後は、管理者が鍵を捻り操作した状態のまま保持する必要がなく、例えば打球発射装置の操作ハンドル部や遊技玉を貯める下皿部など、引き出し操作や支持操作が容易な場所を把持して横引きし前枠組立体を開放することができ、解錠操作の煩雑さや作業負担を軽減して前枠組立体を楽に開放し得るようにした遊技機の施錠装置を提供することができる。
【手続補正８】
【補正対象書類名】明細書
【補正対象項目名】００９０
【補正方法】変更
【補正の内容】
【００９０】
ＰＭ  パチンコ機（遊技機）
Ｐ1    解離位置
Ｐ2    解錠保持位置（フック部材が受け具から解離した以降の位置）
１    ヒンジ部
１０  外枠
２０  前枠
５０  施錠装置
５１  基枠体
５３  第１昇降作動杆（昇降作動杆）
５３ｄ，１５３ｄ，２５３ｄ  係合部
５４  傾動連結支点
５５  フック部材
６５  受け具
７１，１７１，２７１  規制部材
７１ａ，１７１ａ，２７１ａ  係合案内部
８０，１８０，３８０，４８０，５８０  解錠検出部（解錠操作検出部）
８１，１８１，５８１  リミットスイッチ
８５  制御基板（解錠操作異常判断部）
３５３ｅ，４５３ｅ  被検出部
３８１  フォトインタラプタ（光学式センサ）
４５３ｅｔ  透光部